(57)【要約】  本願は、光学部品マウント装置用の光学ポストシステムを開示し、この光学ポストシステムは、少なくとも１つの係合面が形成された少なくとも１つのポスト本体と、光学ポストシステムを少なくとも１つの作業面に結合するように構成された少なくとも１つの締結具を受け入れるよう構成されている、ポスト本体に形成された少なくとも１つの締結具凹部と、少なくとも１つの角度付き締結具プレートが収納位置決めされた状態でポスト本体に形成されている少なくとも１つの締結具調整逃げ部とを有し、締結具調整逃げ部は、締結具凹部を経て締結具と連絡状態にある。
2019512106.tif 000002
【特許請求の範囲】
【請求項１】
光学マウントシステムであって、
少なくとも１つの光学部品を収容するよう寸法決めされた少なくとも１つの光学部品受け具を構成する少なくとも１つのマウント本体を含み、
前記マウント本体と連絡状態にありかつ前記マウント本体から延びる少なくとも１つのプレート部材を含み、前記プレート部材には少なくとも１つのチルト調整通路および少なくとも１つの位置ロック装置受け具が設けられ、
前記プレート部材と連絡状態にある少なくとも１つのベース部材を含み、前記ベース部材は、少なくとも１つの位置決め逃げ部により前記プレート部材から隔てられ、
前記チルト調整通路内に位置決めされた少なくとも１つのチルト調整装置を含み、前記チルト調整装置は、前記プレート部材を選択的に横切るとともに前記ベース部材に選択的に係合するよう構成され、前記チルト調整装置は、少なくとも１つの傾動力を前記ベース部材に対して前記プレート部材に加えるよう構成され、前記チルト調整部材は、前記ベース部材に対する前記プレート部材の位置を選択的に傾動させる、光学マウントシステム。
【請求項２】
前記位置ロック装置通路内に位置決めされていて、前記ベース部材に対する前記プレート部材の位置を選択的に固定するよう構成された、少なくとも１つの位置ロック装置を更に含む、請求項１記載の光学マウントシステム。
【請求項３】
前記ベース部材上に形成された少なくとも１つの結合チャネルを更に含み、前記結合チャネルは、少なくとも１つの結合装置を受け入れるよう構成され、前記結合装置は、前記光学マウントシステムを少なくとも１つの光学ポストに結合するよう構成されている、請求項１記載の光学マウントシステム。
【請求項４】
前記光学部品受け具の近くで前記光学マウント本体上に位置決めされた少なくとも１つの光学保持装置を更に含み、前記光学保持装置は、前記光学マウント本体の前記光学部品受け具内に位置決めされた前記光学部品に選択的に係合したり結合したりするよう構成されている、請求項１記載の光学マウントシステム。
【請求項５】
光学ポストシステムであって、
少なくとも１つの係合面が形成された少なくとも１つのポスト本体を含み、前記係合面は、少なくとも１つの光学部品マウントが取り付けられるよう構成され、
前記ポスト本体内に形成された少なくとも１つの締結具凹部を含み、前記締結具凹部は、前記光学ポストシステムを少なくとも１つの作業面に結合するよう構成された少なくとも１つの締結具を受け入れるよう構成され、
前記ポスト本体内に形成された少なくとも１つの締結具調整逃げ部を含み、前記締結具調整逃げ部内には少なくとも１つの角度付き締結具プレートが位置決めされ、前記締結具調整逃げ部は、前記締結具凹部を経て前記締結具と連絡状態にある、光学ポストシステム。
【請求項６】
前記係合面上に形成された少なくとも１つの保持ポートを更に含み、前記保持ポートは、１つまたは２つ以上のカプラを受け入れるよう構成されている、請求項５記載の光学ポストシステム。
【請求項７】
前記ポスト本体の長手方向軸線と直交して前記ポスト本体内に形成された少なくとも１つの保持通路を更に含み、前記保持通路は、少なくとも１つの光学部品を受け入れるよう構成されている、請求項５記載の光学ポストシステム。
【請求項８】
少なくとも１つの通路ロック凹部内に選択的に位置決めされた少なくとも１つの通路ロック装置を更に含み、前記通路ロック装置は、前記保持通路と連絡状態にある、請求項７記載の光学ポストシステム。
【請求項９】
前記締結具調整逃げ部内に位置決めされた前記角度付き締結具プレートは、前記ポスト本体の前記長手方向軸線と交差している、請求項５記載の光学ポストシステム。
【請求項１０】
前記締結具調整逃げ部内に位置決めされた前記角度付き締結具プレートは、前記ポスト本体の前記長手方向軸線と交差していない、請求項５記載の光学ポストシステム。
【請求項１１】
前記ポスト本体と連絡状態にある少なくとも１つの締結具フランジを更に含み、前記締結具フランジは、前記締結具調整逃げ部中に延び、前記締結具フランジは、前記締結具調整逃げ部内に位置決めされた前記締結具に係合するよう構成されている、請求項５記載の光学ポストシステム。
【請求項１２】
前記光学ポストシステムは、アルミニウムで作られている、請求項５記載の光学ポストシステム。
【請求項１３】
前記光学ポストシステムは、ステンレス鋼で作られている、請求項５記載の光学ポストシステム。
【請求項１４】
光学ポストシステムを作業面に結合する方法であって、
ねじ山付き締結具を作業面内に形成されたねじ山付き取り付け穴に結合するステップと、
前記ねじ山付き締結具の近くで前記ねじ山付き締結具の一部分を受け入れるよう構成された少なくとも１つの締結具凹部を備えるポスト本体を含む光学ポストシステムを位置決めして前記ねじ山付き締結具が前記締結具凹部内に位置するようにするステップと、
少なくとも１つの結合ツールを前記ポスト本体上に形成された少なくとも１つの締結具調整逃げ部中に挿入するステップと、
前記ポスト本体の前記締結具凹部内に位置決めされた前記締結具を前記締結具調整逃げ部経由で作動させるステップとを含む、方法。
【請求項１５】
前記締結具凹部内に位置決めされた前記締結具を作動させる前に、前記光学ポストシステムの位置をＸ軸に沿って調整するステップを更に含む、請求項１４記載の方法。
【請求項１６】
前記締結具凹部内に位置決めされた前記締結具を作動させる前に、前記光学ポストシステムの位置をＹ軸に沿って調整するステップを更に含む、請求項１４記載の方法。
【請求項１７】
前記締結具凹部内に位置決めされた前記締結具を作動させる前に、前記光学ポストシステムの位置をＸ軸とＹ軸の両方に沿って調整するステップを更に含む、請求項１４記載の方法。
【発明の詳細な説明】
【技術分野】
【０００１】
本願は、１つまたは２つ以上の光学部品を光学システム内に支持するために用いられる光学マウント装置の種々の実施形態に関する。
【０００２】
〔関連出願の説明〕
本願は、２０１６年２月１２日に出願された米国特許仮出願第６２／２９４，８３２号（発明の名称：Optical Component Mount Device and Post System and Method of Use）および２０１６年４月２５日に出願された米国特許仮出願第６２／３２７，３６２号明細書（発明の名称：Optical Component Mount Device and Post System and Method of Use）の優先権主張出願であり、これら米国特許出願を参照により引用し、これらの記載内容全体を本明細書の一部とする。
【背景技術】
【０００３】
光学マウント装置およびシステムは、現在、大きなアレイをなす光学システム内の光学部品を支持するために用いられている。典型的には、ユーザは、１つまたは２つ以上の光学素子を支持した光学マウントを光学ポストに結合するとともに光学マウント・ポスト組立体を光学システム内の所望の場所に位置決めしている。
【０００４】
先行技術の光学マウント・ポスト組立体は、過去においては有用であることが判明したが、多くの欠点が認識されていた。例えば、多くの場合、光学マウントによって支持された光学部品を極めて正確な場所に位置決めすることは、困難でありかつ時間がかかることが判明した。さらに、光学部品を非法線経路に沿って傾動させまたは動かすことは、高価でありかつ複雑なマウントシステムを必要としなければ困難であることが判明した。加うるに、最新型の光学サブシステムが小型の装置およびシステムに組み込まれている。残念ながら、先行技術の光学部品マウントおよびポストシステムは、典型的には、サブシステム内に調整可能な位置決め状態を維持するためにかなり大きなエンベロープを必要とする。例えば、光学ポストは、典型的には、ポストクランプ内に受け入れられるよう構成されたフランジまたは光学定盤または作業面に結合されたフォーク部材を有する。ユーザは、フランジをクランプまたはフォーク部材の下に位置決めし、そして締結具を締めてクランプまたはフォーク部材を作業面に結合し、それにより光学ポストを作業面に固定する。したがって、システム設計者は、パフォーマンス・ケイパビリティよりも、もっぱら空間の観点に基づいて、調整可能な光学部品マウントおよびポストシステムの使用を断念するかもしれない。
【発明の概要】
【発明が解決しようとする課題】
【０００５】
かくして、上述の内容に照らして、ユーザが光学部品を光学システム内に迅速かつ正確に位置決めすることができるようにする光学部品マウント装置およびポストシステムが目下要望されている。
【課題を解決するための手段】
【０００６】
本願は、１つまたは２つ以上の光学部品を光学システム内に支持するために用いられる光学マウント装置の種々の実施形態に関する。具体的に説明すると、本明細書において開示される光学マウント装置により、ユーザは、光学マウント装置によって少なくとも１つの光学部品支持体の位置およびチルトを容易かつ選択的に調整することができる。一実施形態では、本願は、光学マウント装置に関し、そして少なくとも１つの光学部品を受け入れるよう寸法決めされた少なくとも１つの光学部品受け具を構成する少なくとも１つのマウント本体を開示している。少なくとも１つのプレート部材がマウント本体と連絡状態にあり、そしてこのマウント本体から延びている。プレート部材には少なくとも１つのチルト調整通路および少なくとも１つの位置ロック装置受け具が形成されている。少なくとも１つのベース部材がプレート部材と連絡状態にある。ベース部材は、少なくとも１つの位置決め逃げ部によりプレート部材から隔てられている。少なくとも１つのチルト調整装置がチルト調整通路内に位置決めされるのが良い。チルト調整装置は、プレート部材を選択的に横切るとともにベース部材に選択的に係合するよう構成されている。使用中、チルト調整装置は、少なくとも１つの傾動力をベース部材に対してプレート部材に加えるよう構成され、その結果、ユーザは、プレート部材およびこれに結合された光学部品の位置をベース部材に対して選択的に傾動させる。
【０００７】
本願はまた、光学マウント装置用の光学ポストシステムの種々の実施形態を開示している。一実施形態では、光学ポストシステムは、少なくとも１つの係合面が形成された少なくとも１つのポスト本体を含む。係合面は、これに取り付けられた少なくとも１つの光学部品マウントを有するよう構成されるのが良い。少なくとも１つの締結具凹部がポスト本体に形成されるのが良い。使用中、締結具凹部は、光学ポストシステムを少なくとも１つの作業面に結合するよう構成された少なくとも１つの締結具を受け入れるよう構成されている。加うるに、光学ポストシステムは、ポスト本体に形成された少なくとも１つの締結具調整逃げ部を含み、この締結具調整逃げ部は、締結具凹部を経て締結具と連絡状態にある。締結具調整逃げ部は、締結具調整逃げ部内に位置決めされた少なくとも１つの角度付き締結具プレートを有する。
【０００８】
さらに、本願は、光学ポストシステムの作業面に結合する方法に関する。一実施形態では、この方法は、ねじ山付き締結具を作業面に形成されたねじ山付き取り付け穴に結合するステップを開示している。しかる後、ねじ山付き締結具の一部分を受け入れるよう構成された少なくとも１つの締結具凹部を構成するポスト本体を含む光学ポストシステムは、ねじ山付き締結具が締結具凹部内に位置するようねじ山付き締結具の近くに位置決めされるのが良い。ユーザは、少なくとも１つの結合ツールをポスト本体上に形成された少なくとも１つの締結具調整逃げ部中に挿入して、ポスト本体の締結具凹部内に位置決めされている締結具を締結具調整逃げ部経由で作動させることができる。
【０００９】
本明細書において説明する光学マウント装置およびこの光学マウント装置用のポストシステムの他の特徴および他の利点は、以下の詳細な説明を考慮すると明らかになろう。
【００１０】
添付の図面により光学マウント装置およびポストシステムの種々の実施形態について詳細に説明する。
【図面の簡単な説明】
【００１１】
【図１】光学部品が結合された光学マウント装置の一実施形態の上から見た斜視図である。
【図２】少なくとも１つのチルト調整装置および少なくとも１つの位置ロック装置が設けられた光学マウント装置の一実施形態の上から見た斜視図である。
【図３】少なくとも１つの結合チャネルが形成された光学マウント装置の一実施形態の上から見た斜視図であり、結合チャネルが結合装置または締結具を受け入れている状態を示す図である。
【図４】マウント本体上に形成された結合凹部内に位置決めされている光学部品結合装置を有する光学マウント装置の一実施形態の上から見た斜視図である。
【図５】光学マウント装置の側面図であり、プレート部材は位置決め逃げ部によりベース部材から離隔されている状態を示す図である。
【図６】少なくとも１つの結合チャネルが形成された光学マウント装置の一実施形態の上から見た斜視図であり、結合チャネルが結合装置または締結具を受け入れている状態を示す図である。
【図７】光学部品が結合された光学マウント装置の一実施形態の断面側面図であり、光学マウント装置が、プレート部材を通ってベース部材まで横切っているチルト調整装置を有する状態を示す図である。
【図８】光学部品が結合された光学マウント装置の一実施形態の断面側面図であり、光学マウント装置がベース部材を通って横切っている結合装置を有している状態を示す図である。
【図９】光学マウント装置の一実施形態のベース部材の一実施形態の断面平面図である。
【図１０】光学マウント装置を所望の場所に位置決めする際に用いられる光学ポストシステムの一実施形態の上から見た斜視図である。
【図１１】ポスト本体に形成された締結具調整逃げ部内に位置決めされている角度付き調整プレートを含む光学ポストシステムの一実施形態の断面平面図である。
【図１２】光学マウント装置を所望の場所に位置決めする際に用いられる光学ポストシステムの別の実施形態の上から見た斜視図である。
【図１３】光学マウント装置を所望の場所に位置決めする際に用いられる光学ポストシステムの別の実施形態の上から見た斜視図である。
【発明を実施するための形態】
【００１２】
本願は、光学部品マウント装置およびポストシステムならびに使用方法の種々の実施形態に関する。図１および図２に示されているように、一実施形態では、光学部品マウント装置１０は、少なくとも１つのマウント本体１２を有し、かかる少なくとも１つのマウント本体１２上には１つまたは２つ以上のプレート部材１４が形成されまたはかかる少なくとも１つのマウント部材１２と一体に１つまたは２つ以上のプレート部材１４が形成されている。一実施形態では、マウント本体１２とプレート部材１４は、一体形本体を形成している。別の実施形態では、マウント本体１２とプレート部材１４は、別々の部材で形成されている。
【００１３】
再び図１および図２を参照すると、少なくとも１つのベース部材１６がプレート部材１４の近くに位置決めされるのが良い。図示の実施形態では、プレート部材１４とベース部材１６は、一体形本体を形成するのが良い。変形例では、プレート部材１４とベース部材１６は、別々の部材で形成されても良い。プレート部材１４とベース部材１６は、少なくとも１つの位置決め逃げ部４０により互いに隔てられるのが良い。
【００１４】
図１および図２に示されているように、マウント本体１２は、少なくとも１つの光学部品２０を受け入れてこれを支持するよう構成された少なくとも１つの光学部品受け具１８を更に有する。例示の光学部品としては、レンズ、鏡、波長板、フラット（flat）、フィルタ、格子、ビームスプリッタ、検出器、センサ、レーザなどが挙げられるが、これらには限定されない。図示の実施形態では、光学部品受け具１８は、少なくとも１つの丸形光学部品を収納支持するとともに位置決めするよう構成されているが、ただし、当業者であれば理解されるように、光学部品受け具１８は、様々な形状の様々な光学部品を受け入れた状態で支持するよう構成できる。オプションとして、光学マウント１０の光学部品受け具１８は、少なくとも１つのアダプタまたは固定具（図示せず）を用いて、少なくとも１つの光学部品を支持するよう構成さても良い。加うるに、図示の実施形態に示されている光学マウント２０は、光学部品受け具１８の近くに位置決めされた少なくとも１つの光学部品結合またはカプラ凹部２２を有する。光学部品カプラ凹部２２は、少なくとも１つの光学部品カプラまたは保持装置２４を収容した状態で有することができる。図示の実施形態では、少なくとも１つの締結具２６を用いて光学部品カプラ装置２４をマウント本体１２に結合することができる。使用中、光学部品カプラ装置２４は、マウント本体１２の光学部品受け具１８内に位置決めされた少なくとも１つの光学部品２０に係合しまたは少なくとも１つの光学部品保持力をかかる少なくとも１つの光学部品２０に加えるよう構成されているのが良い。例えば、少なくとも１つの付勢部材６４または類似した装置を用いて保持力を光学部品受け具１８内に位置決めされた光学部品２０に加えることができる（図４参照）。例示の付勢部材としては、ばね、板部材、シリコンパッド、ねじ、ピン、ポリマーパッド、摩擦部材、接着装置などが挙げられるが、これらには限定されない。
【００１５】
図１〜図４に示されているように、少なくとも１つのプレート部材表面３０がプレート部材１４上に形成されまたはこれに結合されるのが良い。図示の実施形態では、プレート部材表面３０は、チルト調整通路または凹部３４または位置ロック装置受け具３８のうちの少なくとも一方を有する。例えば、図示の実施形態では、プレート部材表面３０は、１つのチルト調整通路３４および２つの位置ロック装置受け具３８を有する。オプションとして、任意の数のチルト調整通路３４および位置ロック装置受け具３８は、プレート部材１４内への形成時に位置決めされるのが良い。
【００１６】
図示のように、少なくとも１つのチルト調整部材３２がプレート部材１４内に形成されたチルト調整通路３４内に位置決めされるのが良い。図１、図５、および図７に示されているように、チルト調整部材３２の少なくとも一部分は、プレート部材１４および位置決め逃げ部４０を通って横切り、そしてベース部材１６の少なくとも一部分に係合している。例えば、チルト調整通路３４の少なくとも一部分は、ねじ山付き本体を有する少なくとも１つのチルト調整部材３２に係合してこれを保持するよう構成されている１つまたは２つ以上のねじ山付き領域を有するのが良く、チルト調整部材３２は、プレート部材１４および位置決め逃げ部４０を通って調整可能に横切ることができ、位置決め逃げ部４０は、プレート部材１４をベース部材１６から隔てている。オプションとして、チルト調整部材３２上には様々な係合装置または特徴部が形成されており、かかる係合装置または特徴部は、チルト調整部材３２がプレート部材１４内に形成されたチルト調整通路３４に可動的に係合してこれによって保持されることができるよう構成されている。
【００１７】
再び図１、図２、図６、図７および図９を参照すると、少なくとも１つの位置ロック装置３６がプレート部材１４上に形成された少なくとも１つの位置ロック装置受け具３８内に位置決めされるのが良い。図１、図５、および図７に示されているように、少なくとも１つの位置ロック装置３６が、位置ロック装置受け具３８および位置決め逃げ部４０を横切り、ベース部材１６内に形成された少なくとも１つの位置ロック装置部材またはポート４８に係合するとともに／あるいはこの中に保持されるよう構成されているのが良い。一実施形態では、位置ロック装置部材４８は、炭化珪素パッドから成る。別の実施形態では、位置ロック装置部材４８は、チタンパッドから成る。オプションとして、位置ロック装置部材４８は、扁平な本体、円錐形の着座本体、凹状本体、ねじ山付き本体などを有するのが良い。一実施形態では、位置ロック装置３６、位置ロック装置受け具３８、および位置ロック装置部材４８のうちの少なくとも１つには、少なくとも１つのねじ山部材（図示せず）が設けられ、ねじ山部材は、位置ロック装置３６が位置ロック装置受け具３８および位置ロック装置部材４８のうちの少なくとも一方にしっかりと係合してこれによって保持されることができるよう構成されている。使用中、ユーザは、チルト調整部材３２および位置ロック装置３６のうちの少なくとも一方を選択的に作動させてプレート部材１４の位置をベース部材１６に対して所望の位置にしっかりと保持することができるようにしている。例えば、チルト調整部材３２および位置ロック装置部材３６のうちの少なくとも一方は、プレート部材１４がベース部材１６に実質的に平行に位置決めされるよう作動されるのが良い。別の実施形態では、チルト調整部材３２および位置ロック装置３６のうちの少なくとも一方は、プレート部材１４がベース部材１６に対して実質的に非平行状態に作動されるのが良い。
【００１８】
図１〜図３および図５に示されているように、少なくとも１つの位置決め逃げ部４０がプレート部材１４とベース部材１６との間に形成されるのが良い。図示のように、一実施形態では、位置決め逃げ部４０は、少なくとも１つの壁部材４４の近くに位置決めされた少なくとも１つの位置決め特徴部４２を有するのが良い。したがって、図示の実施形態では、プレート部材１４とベース部材１６は、取り外すことができないように結合されている。使用中、チルト調整装置３２は、チルト調整装置３２の一部分が位置ロック装置部材４８および／またはベース部材１６のうちの少なくとも一方に係合するよう作動されるのが良く、その結果、プレート部材１４の少なくとも一部分は、ベース部材１６から遠ざかり、それによりチルト調整装置４２を作動させ、その結果、位置決め逃げ部４０の横方向寸法を変化させることによって、これを選択的に増減することができる。オプションとして、図５に示されているように、プレート部材１４および／またはベース部材１６のうち少なくとも一方の高さおよび／または厚さは、一定である必要はない。例えば、図５は、厚肉部分６０および薄肉部分６２を備えたベース部材１６を有する光学マウント１０の一実施形態を示しており、それにより、ユーザは、光学マウント１０の傾き（チルト）を入射光信号に対して正確に調整することができる。変形例では、プレート部材１４および／またはベース部材１６の厚さは一定であって良い。
【００１９】
図３、図５、図６、図８および図９に示されているように、一実施形態では、光学マウント１０は、光学マウント１０を少なくとも１つの固定具、光学ポスト、構造体および／または類似の部品に選択的に結合しまたは可動的に結合することができるようにする類似の特徴の少なくとも１つの結合チャネル５０を有するのが良い。例えば、図示の実施形態では、光学マウント１０は、少なくとも、プレート部材１４の一部、ベース部材１６、またはこれらの両方内に形成された単一の結合チャネル５０を有する。図示のように、結合チャネル５０は、カプラチャネル５０内に形成された少なくとも１つの締結具インターフェースまたはフランジ５２を有するのが良い。さらに、図示のように、一実施形態では、カプラチャネル５０は、ベース部材１６を通って横切っており、それにより、カプラチャネル５０内に位置決めされた少なくとも１つの締結具５４が少なくとも１つの光学ポスト、構造体、固定具、または類似の部品（以下において光学ポストという）に選択的に係合することができ、そしてこれによって保持可能である。例えば、使用中、ユーザは、少なくとも１つの締結具５４をカプラチャネル５０に位置決めして締結具５４を作動させることができ、その結果、締結具が締結具フランジ５２に係合し、プレート部材１４およびベース部材１６を通って横切り、そして光学ポストの少なくとも一部分に係合するようになっており、それにより光学マウントを光学ポストにしっかりと結合する。図３および図６に示されているように、結合チャネル５０は、細長い直線状チャネル形状を有するのが良く、それによりユーザは、光学マウント１０の位置を単一の軸線に沿って容易に調整することができる。これとは対照的に、結合チャネル５０は、ユーザが光学マウント１０の位置を多数の軸線に沿って容易に調整することができるよう形作られるとともに構成されるのが良い。したがって、ユーザは、光学ポストに結合されたときの光学マウント１０の位置を迅速かつ容易に調整することができる。
【００２０】
図１０および図１１は、図１〜図９に記載された光学マウント１０または任意他の光学マウントもしくは物品マウントに用いられる光学ポストシステムの一実施形態の種々の図である。具体的に説明すると、ポストシステム７０は、少なくとも１つの係合面７４が形成されたポスト本体７２を含む。図示の実施形態では、係合面７４は、平坦な表面から成り、ただし、当業者であれば理解されるように、係合面７４は、種々の形状または形態に形成されても良い。少なくとも１つの保持ポート７６が係合面７４に形成されるのが良い。図示の実施形態では、保持ポート７６は、ポスト本体７２の長手方向軸線Ｌに沿ってかつこれと同一直線上に位置決めされる。オプションとして、保持ポート７６は、ポスト本体７２の長手方向軸線Ｌに沿って位置決めされる必要はない。図示の実施形態では、保持ポート７６は、少なくとも１つの締結具を受け入れてこれを保持するよう寸法決めされたねじ山付きポートを備えるのが良い。オプションとして、係合面は、少なくとも１つの光学マウントを受け入れてこれを保持するよう構成された種々の装置またはシステムを含むのが良く、かかる装置またはシステムとしては、磁気装置、結合特徴部、接着装置などが挙げられるが、これらには限定されない。したがって、係合面７４に保持ポート７６が設けられる必要はない。オプションとして、光学マウント７０は、少なくとも１つの光学部品マウントまたは他の部品マウント（図示せず）に係合してこれをポスト本体７２の任意の部分に結合するよう構成されるのが良い。例えば、１つまたは２つ以上の追加の保持ポート７６がポスト本体７２の種々の場所に形成されるのが良い。例えば、一実施形態では、保持通路８８は、少なくとも１つの光学レールまたは類似の装置を受け入れるよう寸法決めされるのが良い。図示の実施形態では、保持通路８８は、ポスト本体７２に形成された少なくとも１つの通路ロック凹部８７内に位置決めされた少なくとも１つの通路ロック装置８９を有する。少なくとも１つの通路ロック凹部８７内に位置決めされた通路ロック装置８９は、少なくとも１つのクランプ力または類似の保持力を加えて保持通路８８内に位置決めされた光学レールまたは類似の装置（図示せず）をポスト本体７２にしっかりと結合するよう構成されているのが良い。オプションとして、ポスト本体７２は、通路ロック凹部８７、保持通路８８、および／または通路ロック装置８９のうちの少なくとも１つを設けないで製造できる。
【００２１】
再び図１０および図１１を参照すると、ポスト本体７２上には、１つまたは２つ以上の取り付けフランジ７８が位置決めされるのが良くまたはこれがポスト本体に結合されるのが良い。一実施形態では、取り付けフランジ７８により、ポストシステム７０は、当該技術分野において知られている取り付けフォークまたは類似の装置を用いて光学定盤に取り外し可能に結合可能である。変形例では、調整逃げ部８２が設けられることにより、取り付けフォーク（図示せず）および取り付けフランジ７８が不要となる。したがって、光学ポストシステム７０は、取り付けフランジ７８なしで製造でき、それによりポストシステム７０のフットプリントが減少する。ポスト本体７２は、１つまたは２つ以上の締結具８６を受け入れるよう寸法決めされた１つまたは２つ以上の締結具凹部８０を有するのが良い。図示の実施形態では、締結具凹部８０内には少なくとも１つの締結具フランジ８５が形成されている。締結具８６は、締結具フランジ８５に係合してポストシステム７０を光学定盤または作業面に選択的に結合するよう構成されているのが良い。
【００２２】
図１０および図１１に示されているように、少なくとも１つの締結具調整逃げ部８２がポスト本体７２内に形成されている。一実施形態では、締結具調整逃げ部８２は、全体として角度の付いた逃げプレート８４を含む。例えば、図１１に示されているように、一実施形態では、角度付き締結具逃げプレート８４は、ポスト本体７２の長手方向軸線Ｌと交差している。図示の実施形態では、締結具調整逃げ部８２内に位置決めされた締結具８６は、ポスト本体７２の長手方向軸線Ｌに沿ってかつこれと同一直線上に位置決めされる。使用にあたり、締結具調整逃げ部８２により、ユーザは、ツールを用いて締結具凹部８０内に位置決めされた締結具８６の少なくとも一部分に接近してポストシステム７０を容易に結合し、結合解除するとともに／あるいは光学定盤または類似の作業面に結合されているときのポストシステム７０の位置を調整することができる。オプションとして、角度付き締結具逃げプレート８４は、ポスト本体７２の長手方向軸線Ｌと交差する必要はない。オプションとして、締結具逃げプレート８４には角度が付けられる必要はない。したがって、締結具調整逃げ部８２内に位置決めされた締結具８６は、ポスト本体７２の長手方向軸線Ｌに沿ってかつこれと同一直線上に位置決めされる必要がない。
【００２３】
図１２および図１３は、図１０および図１１に示されているように光学ポストシステムの種々の変形実施形態を示している。図１２および図１３に示されているように、光学ポストシステム９０は、少なくとも１つの係合面９４が形成された少なくとも１つのポスト本体９２を含むのが良い。図示の実施形態では、係合面は、１つまたは２つ以上の光学部品ホルダ、マウント、および保持装置が結合されるよう構成された実質的に平坦な表面から成る。オプションとして、係合面９４は、１つまたは２つ以上の光学部品ホルダ、マウントなどを結合することができるよう構成された種々の形状および／または特徴部を含むのが良い。少なくとも１つの保持ポート９６が係合面９４上に形成されるのが良い。一実施形態では、保持ポート９６は、少なくとも１つの締結具を受け入れるとともにこれを保持するよう寸法決めされたねじ山付きポートを備える。先の実施形態と同様、保持ポート９６は、ポスト本体９２の長手方向軸線Ｌに沿って位置決めされるのが良い。オプションとして、係合面は、少なくとも１つの光学マウントを受け入れてこれを保持するよう構成された種々の装置またはシステムを含むのが良く、かかる装置またはシステムとしては、磁気装置、接着装置などが挙げられるが、これらには限定されない。したがって、係合面には保持ポート９６が設けられる必要はない。オプションとして、光学マウントは、カプラをポスト本体９２の任意の部分に係合させるよう構成されるのが良い。例えば、１つまたは２つ以上の追加の保持ポート９８がポスト本体９２の種々の場所に形成されるのが良い。
【００２４】
図１２に示されているように、ポスト本体９２上には１つまたは２つ以上の取り付けフランジ９８が位置決めされるのが良く、または１つまたは２つ以上の取り付けフランジ９８がポスト本体９２に結合されるのが良い。一実施形態では、取り付けフランジ９８により、ポストシステム９０は、当該技術分野において知られている取り付けフォークまたは類似の装置を用いて光学定盤に取り外し可能に結合できるが、調整逃げ部１０４が設けられることにより、取り付けフランジ９８は不要となる。したがって、光学ポストシステム９０は、取り付けフランジ９８なしで製造でき、それによりポストシステム９０のフットプリントが減少する。例えば、図１３は、取り付けフランジ９８がポスト本体９２上に形成されることなく製造された光学ポストシステム９０の一実施形態を示している。ポスト本体９２は、１つまたは２つ以上の締結具１０８を受け入れるよう寸法決めされた１つまたは２つ以上の締結具凹部１００を有するのが良い。締結具１０８は、締結具凹部１００内に形成された少なくとも１つの締結具フランジ１０５に係合してポストシステム９０を光学定盤または作業面に選択的に結合するよう構成されているのが良い。一実施形態では、締結具１０８は、ポスト本体９２の長手方向軸線Ｌに沿ってかつこれと同一直線上に位置決めされる。
【００２５】
図１２および図１３に示されているように、少なくとも１つの締結具調整逃げ部１０４がポスト本体９２内に形成されている。図示の実施形態では、締結具調整逃げ部１０４は、締結具凹部１００の近くでポスト本体９２上に形成された少なくとも１つの締結具位置決め逃げ部１０２を含む。締結具位置決め逃げ部１０２により、ユーザは、光学ポストシステム９０の配置場所を締結具１０８に対して２本の軸線に沿って選択的に調整することができる。一実施形態では、締結具調整逃げ部１０４は、角度付き逃げプレート１０６を含む。図示の実施形態では、角度付き逃げプレート１０６は、ポスト本体９２の長手方向軸線Ｌと交差しており、ただし、当業者であれば理解されるように、角度付き逃げプレート１０６は、ポスト本体９２の長手方向軸線Ｌと交差する必要はない。オプションとして、逃げプレート１０６に角度を付ける必要はない。使用にあたり、角度付き逃げプレート１０６により、ユーザは、ツールを用いて締結具凹部１０４内に位置決めされた締結具１０８の少なくとも一部分に接近してポストシステム９０を容易に結合し、結合解除するとともに／あるいは光学定盤または類似の作業面に結合されているときのポストシステム９０の位置を調整することができる。
【００２６】
本願はまた、本明細書において説明した光学ポストシステムを作業面に結合する方法を開示している。図１２および図１３を参照すると、使用にあたり、ユーザは、少なくとも１つのねじ山付き締結具１０８を光学定盤または作業面（図示せず）に形成されたねじ山付き取り付け穴中に挿入するのが良い。しかる後、ユーザは、ポストシステム９０を光学定盤に結合された締結具１０８の近くに位置決めするのが良く、その結果、締結具１０８がポスト本体９２上に形成された締結具位置決め凹部１０２内に位置決めされるようにする。ユーザは、次に、ポストシステム９０の配置場所を所望の場所に合わせて調整するのが良い。例えば、ユーザは、光学ポストの位置をＸ軸、Ｙ軸、またはこれら両方の軸に沿って調整するのが良い。しかる後、ユーザは、結合ツールを調整逃げ部１０４中に挿入して締結具１０８に接近するとともにこれを作動させ、その結果、締結具１０８が締結具凹部内に形成されている締結具フランジ１０５に係合してクランプ力をこの締結具フランジ１０５に加えるようにするのが良く、それによりポストシステム９０を作業面に結合する。
【００２７】
本明細書において開示した実施形態は、本発明の原理の例示である。本発明の範囲に含まれる他の改造例を採用することができる。したがって、本願において開示した装置は、図示するとともに本明細書において説明した装置そのものには限定されない。
【図１】
2019512106.tif 000003
【図２】
2019512106.tif 000004
【図３】
2019512106.tif 000005
【図４】
2019512106.tif 000006
【図５】
2019512106.tif 000007
【図６】
2019512106.tif 000008
【図７】
2019512106.tif 000009
【図８】
2019512106.tif 000010
【図９】
2019512106.tif 000011
【図１０】
2019512106.tif 000012
【図１１】
2019512106.tif 000013
【図１２】
2019512106.tif 000014
【図１３】
2019512106.tif 000015
【国際調査報告】
2019512106.tif 000016
2019512106.tif 000017